(57)【要約】      （修正有）【課題】微細亀裂現象が発生しにくく、外表面の反射物に良好な反射効果を達成するヘルメットの反射構造を提供する。【解決手段】反射物及び帽子体２から構成され、反射物は基材を備え外表面には第一蛍光層を設置し、第一蛍光層はホットメルトにシルバーペーストを混入して精製し、第一蛍光層上にシルバーペースト材質の第二蛍光層１３を設置し、第二蛍光層に複数のガラス玉１３１を結合する。成型した反射物は熱可塑加工で帽子体の外表面に貼り合せ、且つ湾曲角度が大きいところでは、第一蛍光層がホットメルト接着成分を含むために拡張性が更に良くなり、第一蛍光層は第二蛍光層１３に沿って拡張する。このため、第二蛍光層は第一蛍光層表面上に密着して貼り合わさり、第二蛍光層の微細亀裂現象が発生しにく、第二蛍光層に結合した複数のガラス玉の脱落現象が起きにくく、帽子体の外表面に設置した反射物は良好な反射効果を達成する。【選択図】図２
0003156542.tif 000002
【実用新案登録請求の範囲】
【請求項１】
反射物及び帽子体から構成されたヘルメットの反射構造において、
前記反射物は、基材を備え、基材外表面にはホットメルト及びシルバーペーストを混合して精製した第一蛍光層を設置し、更に第一蛍光層上にはシルバーペースト材質で精製し、複数のガラス玉を結合した第二蛍光層を設置し、
前記帽子体は、その外表面に加工方式で反射物を成型することを特徴とするヘルメットの反射構造。
【請求項２】
前記帽子体は、外表面に成型する反射物の加工方式が熱可塑、粘着もしくはホットプレス等とすることを特徴とする請求項１記載のヘルメットの反射構造。
【請求項３】
前記基材の材質は、テレフタル酸ポリエチレン（ＰＥＴ）、ポリ塩化ビニル（ＰＶＣ）、プラスチック薄膜等であることを特徴とする請求項１記載のヘルメットの反射構造。
【請求項４】
前記帽子体は、自転車ヘルメット、オートバイヘルメット、工事用ヘルメット等であることを特徴とする請求項１記載のヘルメットの反射構造。
【考案の詳細な説明】
【技術分野】
【０００１】
本考案は、ヘルメットの反射構造に関するもので、特に成型した反射物を熱可塑加工で帽子体の外表面に貼り合せた時、第一蛍光層が良好な拡張性を備えるホットメルト接着成分を含むため、第二蛍光層が第一蛍光層表面上にしっかりと密着し、微細亀裂現象が発生しにくくなり、帽子体の外表面の反射物に良好な反射効果を達成するヘルメットに関する。
【背景技術】
【０００２】
世界各国の石油の値上がりと環境保護意識が向上したことにより、自転車もしくはオートバイ等交通手段は、オフィスワーカーにとって自動車に代わる交通手段となり、自転車及びオートバイは、価格が安いことや駐車しやすい等の長所によって台湾に於いても、交通の足としての地位を固めている。しかしながら、自転車もしくはオートバイは自動車のように硬い外フレームやエアーバック、バンパー、アンチロック・ブレーキ・システム（ＡＢＳ）、トラクション・コントロール・システム（ＴＣＳ）等多種の安全裝備機能を備えていないため、自転車もしくはオートバイの騎乗に拠る路上での交通事故死亡率は自動車事故よりもずっと多い。このため、台湾政府では１９９７年６月からオートバイに搭乗する場合にヘルメットを強制的に着用する政策を実施した。オートバイを運転する人及び同乗者にもヘルメットを着用することを強制することにより、交通事故に因る傷害を減らし、事故を減らすことで個人及びその家族への影響、もしくは傷害事故に因る医療コスト及び社会的コストの影響を減らそうとしている。
【０００３】
ヘルメットは路上を運転する自転車もしくはオートバイの運転者にとって非常に大切であり、運転者の生命安全を保護し、死亡事故を下げている。更に自転車には照明灯、霧ライト、方向指示ライト、ブレーキライト等の照明裝置が着いているものが少ないため、自転車で夜間運転する場合、周囲の車などが自転車に気が付きにくく、衝突事故を起こしやすい。そのため、運転者によってはヘルメット上に反射層を設置するものもある。
【０００４】
但し、公知のヘルメットの反射構造は図４、５に示すとおり、該ヘルメットＢ上の反射物Ａは基材Ａ１を備えており、基材Ａ１外表面には複数のガラス玉Ａ３を結合したシルバーペースト層Ａ２を設置している。成型した反射物Ａは、熱可塑加工でヘルメットＢ外表面に貼り合せる時、複数のガラス玉Ａ３のあるシルバーペースト層Ａ２を結合するが、角を大きく曲がる位置では，シルバーペースト層Ａ２が基材Ａ１のように拡張性を備えてヘルメットＢ外表面にしっかりと密着させることができないため、基材Ａ１上のシルバーペースト層Ａ２に微細亀裂現象が発生しやすく、且つシルバーペースト層Ａ２に結合した複数のガラス玉Ａ３が脱落しやすい。そのため、ヘルメットＢ上の反射物Ａの反射効果に大きく影響し、路上での周辺の車などにはっきりと表示させることができず、衝突事故を起こしやすくなる。
【先行技術文献】
【特許文献】
【０００５】
【特許文献１】特開平０６−１５８４１２号公報
【考案の概要】
【考案が解決しようとする課題】
【０００６】
解決しようとする問題点は、微細亀裂現象が発生しやすく、帽子体の外表面の反射物に良好な反射効果を達成することができない点である。
拠って、如何にして公知のヘルメットの反射構造の問題と欠点を解決するかが本考案の大きな課題となる。
【課題を解決するための手段】
【０００７】
本考案は、反射物及び帽子体から構成される。その反射物は基材を備え、基材外表面には第一蛍光層を設置し、且つ第一蛍光層はホットメルトにシルバーペーストを混入して精製する。第一蛍光層上にシルバーペースト材質の第二蛍光層を設置し、且つ第二蛍光層に複数のガラス玉を結合する。
成型した反射物は熱可塑加工で帽子体の外表面に貼り合せ、且つ湾曲角度が大きいところでは、第一蛍光層がホットメルト接着成分を含むために拡張性が更に良くなり、第一蛍光層は第二蛍光層に沿って拡張する。
このため、第二蛍光層は第一蛍光層表面上に密着して貼り合わさり、第二蛍光層の微細亀裂現象が発生しにくくなり、且つ、第二蛍光層に結合した複数のガラス玉の脱落現象が起きにくくなり、帽子体の外表面に設置した反射物は良好な反射効果を達成することを最も主要な特徴とする。
【０００８】
すなわち、請求項１の考案は、反射物及び帽子体から構成されたヘルメットの反射構造において、前記反射物は、基材を備え、基材外表面にはホットメルト及びシルバーペーストを混合して精製した第一蛍光層を設置し、更に第一蛍光層上にはシルバーペースト材質で精製し、複数のガラス玉を結合した第二蛍光層を設置し、前記帽子体は、その外表面に加工方式で反射物を成型することを特徴とする。
【０００９】
請求項２の考案は、請求項１記載のヘルメットの反射構造において、前記帽子体は、外表面に成型する反射物の加工方式が熱可塑、粘着もしくはホットプレス等とすることを特徴とする。
請求項３の考案は、請求項１記載のヘルメットの反射構造において、前記基材の材質は、テレフタル酸ポリエチレン（ＰＥＴ）、ポリ塩化ビニル（ＰＶＣ）、プラスチック薄膜等であることを特徴とする。
請求項４の考案は、請求項１記載のヘルメットの反射構造において、前記帽子体は、自転車ヘルメット、オートバイヘルメット、工事用ヘルメット等であることを特徴とする。
【考案の効果】
【００１０】
本考案のヘルメットの反射構造によれば、微細亀裂現象が発生しにくくなり、帽子体の外表面の反射物に良好な反射効果を達成するという利点がある。
【図面の簡単な説明】
【００１１】
【図１】本考案の実施例の構造指示図である。
【図２】本考案の実施例の立体外観図である。
【図３】本考案の実施例の構造断面図である。
【図４】公知の外型指示図である。
【図５】公知の構造指示図である。
【考案を実施するための形態】
【００１２】
考案者は上述の問題と欠点を鑑み、関連資料を収集し、他方からの評価及び考慮、並びに当業界に於ける長年の経験を生かし、不断の思索及び修正を経て、ヘルメットの反射構造を製作した。
【００１３】
ヘルメットの反射物は基材の外表面にホットメルトにシルバーペーストを混入した第一蛍光層を設置し、第一蛍光層上には、シルバーペースト上に複数のガラス玉を結合した第二蛍光層を設置する。成型した反射物は帽子体の外表面に加工貼り合わせし、且つ湾曲角度が大きなところにぶつかると、第一蛍光層が良好な拡張性を備えることから、第一蛍光層が第二蛍光層に従って拡張し、そのため、第二蛍光層は第一蛍光層の表面上に更に密着し、第二蛍光層に皺もしくは微細亀裂現象を起こしにくくする。このようにして、帽子体の外表面の反射物は良好な反射効果を達成することを本考案の主な目的とする。
【実施例】
【００１４】
上述の目的及び効果を達成するため、本考案が採用する技術手段及びその構造を図式と共に実施例を挙げてその特徴及び効果を説明する。
図１、２、３に示すのは、本考案の実施例の構造指示図、立体外観図、構造断面図であり、図に示すとおり、本考案のヘルメットの反射構造は反射物１、帽子体２を含んで構成される。
【００１５】
該反射物１は、テレフタル酸ポリエチレン（ＰＥＴ）、ポリ塩化ビニル（ＰＶＣ）、プラスチックの薄膜等材質を備えた基材１１であり、また基材１１外表面には第一蛍光層１２を設置し、且つ第一蛍光層１２はホットメルトにシルバーペーストを混ぜて生成し、第一蛍光層１２上に第二蛍光層１３を設置する。また第二蛍光層１３はシルバーペースト材質で生成し、且つ第二蛍光層１３上には複数のガラス玉１３１を結合する。
また、前記帽子体２の外表面は加工方式で反射物１を成型する。
【００１６】
上述の反射物１は加工結合する時、テレフタル酸ポリエチレン（ＰＥＴ）薄膜材質を備えた基材１１でホットプレスしてホットメルト成型する。ホットメルト成型過程でシルバーペーストを混入し、第一蛍光層１２を形成する。それによって、第一蛍光層１２が柔軟性を備え且つシルバーペーストが反射の特性を備える。更に第一蛍光層１２上にホットプレスでシルバーペースト材質の第二蛍光層１３を成型し、第二蛍光層１３のシルバーペースト材質上で複数のガラス玉１３１をホットプレスし、第二蛍光層１３は良好な反射効果を備える。
【００１７】
この他、帽子体２（例として自転車ヘルメット、オートバイヘルメット、工事用ヘルメット）等は反射物１と結合する過程に於いて、成型した反射物１を加工方式（例として熱可塑、粘着もしくはホットプレス等）で帽子体２外表面に成型する。反射物１が帽子体２外表面の湾曲角度が比較的大きいか、もしくは通風孔の辺縁位置にぶつかった時、第一蛍光層１２のホットメルト接着成分によって第一蛍光層１２が良好な拡張性を備え、第一蛍光層１２は第二蛍光層１３に沿って拡張する。
このため、第二蛍光層１３は第一蛍光層１２表面上にしっかりと貼り付き、第二蛍光層１３は微細亀裂現象が起こりにくくなり、複数のガラス玉１３１が第二蛍光層１３に亀裂が発生しても細縫内から脱落する現象を防止し、更に帽子体２外表面に設置した反射物１が良好な反射効果を達成する。
【００１８】
帽子体２上の反射物１は第一蛍光層１２及び第二蛍光層１３を備えるが、帽子体２を一定期間使用した後、図２の部分拡大図や図３の中央部分に示すように、その帽子体２上の反射物１の最外層の第二蛍光層１３は擦れや瑕ができやすくなる。また、第二蛍光層１３のシルバーペーストは微細な亀裂もしくは色落ちが発生し、シルバーペーストの亀裂によって、シルバーペーストに結合した複数のガラス玉１３１が脱落したりする。
その時、第二蛍光層１３下の第一蛍光層１２によって、第二蛍光層１３亀裂の箇所を補足して反射物１は一定の反射効果を備える。更に第一蛍光層１２はホットメルトの良好な引っ張り強度を備えているため、第二蛍光層１３のシルバーペーストに微細な亀裂が入っても第一蛍光層１２が第二蛍光層１３の強度を補強するため、有効に第二蛍光層１３のシルバーペースト亀裂具合を小さくすることができ、更に反射物１の耐用レベルを高め、買い替え頻度を下げることができる。
【００１９】
上述の本考案のヘルメットの反射構造は実際に使用する時、下述の長所がある。  例として、第一蛍光層１２のホットメルト成型過程中にシルバーペーストを混入するため、第一蛍光層１２には拡張性の特性が備わる。反射物１は加工方式で帽子体２外表面に成型し、且つ帽子体２外表面の湾曲角度の大きい位置にぶつかると、第一蛍光層１２は第二蛍光層１３に沿って拡張し、第二蛍光層１３を第一蛍光層１２表面上にしっかりと結合させ、皺もしくは亀裂現象を発生せず、反射物１の良好な反射効果を維持する。
【００２０】
ホットメルト接着成分を備えた第一蛍光層１２は、第二蛍光層１３を結合させ、反射物１の引っ張り強度及び延展性を高める。外力によって磨れたり瑕を作ったりした時、第二蛍光層１３のシルバーペーストによって亀裂の大きさを小さくして反射物１の使用年数を伸ばす。
【００２１】
故に、本考案は、主に成型した反射物に対して、熱可塑加工で帽子体の外表面に貼り合せた時、第一蛍光層がホットメルト接着成分を備えることで、良好な拡張性を備えることができる。そして第二蛍光層は第一蛍光層表面上にしっかりと密着し、微細亀裂現象を起こしにくくなり、帽子体の外表面の反射物に良好な反射効果を達成する。
以上、詳述したものは本考案の良好な実施例であり、本考案の請求範囲を制限するものではない。故に本考案の説明書及び図式内容に基づくすべての簡易修飾及び同効果の構造変化は、本考案の請求範囲に含まれる。
【符号の説明】
【００２２】
１        反射物
１１        基材
１２        第一蛍光層
１３        第二蛍光層
１３１        ガラス玉
１４        亀裂
２        帽子体
Ａ        反射物
Ａ１      基材
Ａ２      シルバーペースト層
Ａ３      ガラス玉
Ｂ        ヘルメット
【図１】
0003156542.tif 000003
【図２】
0003156542.tif 000004
【図３】
0003156542.tif 000005
【図４】
0003156542.tif 000006
【図５】
0003156542.tif 000007